(57)【要約】  本発明はロールのクラウンコントロールのための冷却ロール及びその制御方法に関する。  ロールのクラウンコントロールのための冷却ロールは、ヒートシンクと、ヒートシンクの外側に複数層の熱電モジュールがロール長手方向に積層した内部モジュールと、内部モジュールの外側に複数層の熱電モジュールがロールの長手方向に積層した外部モジュールと、を含み、内部モジュールは、外部モジュールの表面から流れてくる電流をヒートシンクに流すことを特徴とする。【選択図】図４
2011507706.tif 000002
【特許請求の範囲】
【請求項１】
ヒートシンクと、
前記ヒートシンクの外側に、複数層の熱電モジュールがロールの長手方向に積層された内部モジュールと、
前記内部モジュールの外側に、複数層の熱電モジュールがロールの長手方向に積層された外部モジュールと、を含み、
前記内部モジュールは、前記外部モジュールの表面から流れてくる電流を、前記ヒートシンクに流すことを特徴とするロールのクラウンコントロールのための冷却ロール。
【請求項２】
前記外部モジュールは、複数の層のそれぞれに流れる電流の量を、それぞれ制御することを特徴とする請求項１に記載のロールのクラウンコントロールのための冷却ロール。
【請求項３】
前記外部モジュールは、前記外部モジュールの外側部に配置された高温部と、前記高温部と前記内部モジュールの間に配置された低温部と、を含み、
前記高温部は、前記外部モジュールの表面から流れてくる電流を、前記低温部に流すことを特徴とする請求項１に記載のロールのクラウンコントロールのための冷却ロール。
【請求項４】
前記内部モジュール及び前記外部モジュールは、各々がリング状の熱電モジュールからなる単位リングがロールの長手方向に積層されたものであることを特徴とする請求項１に記載のロールのクラウンコントロールのための冷却ロール。
【請求項５】
前記ヒートシンクと前記内部モジュールの間、及び前記内部モジュールと前記外部モジュールの間は、絶縁体で絶縁されていることを特徴とする請求項１に記載のロールのクラウンコントロールのための冷却ロール。
【請求項６】
外部モジュールの表面から、前記外部モジュールの内側に複数層の熱電モジュールがロールの長手方向に積層されたものである内部モジュールに、電流が流されるステップと、
前記内部モジュールから、前記内部モジュールの内側に備えられたヒートシンクに電流が流されるステップと、
を含むことを特徴とするロールのクラウンコントロールのための冷却ロールの制御方法。
【請求項７】
前記外部モジュールは、前記外部モジュールの複数の層それぞれに流れる電流の量を、それぞれ制御することを特徴とする請求項６に記載のロールのクラウンコントロールのための冷却ロールの制御方法。
【請求項８】
前記外部モジュールの表面から、前記外部モジュールの上部に配置された高温部に、電流が流されるステップと、
前記高温部から、前記高温部と内部モジュールの間に配置された低温部に、電流が流されるステップと、
を含むことを特徴とする請求項６に記載のロールのクラウンコントロールのための冷却ロールの制御方法。
【発明の詳細な説明】
【技術分野】
【０００１】
本発明は、ロールのクラウンコントロールのための冷却ロール及びその制御方法に関し、より詳しくは、熱電モジュールを用いた内部冷却方式による冷却ロール及びその制御方法に関する。
【背景技術】
【０００２】
図１は、従来のロールを示す斜視図である。図１に示すように、鋳造工程や圧延工程において、ロール１は、素材２との摩擦により発生した熱や素材２から伝達された熱によって熱膨張する。このようなロールの熱膨張は、製品の厚みに影響を与え、結果的に製品の品質を低下させる。
【０００３】
ロール１の膨張を抑制するための、従来のロールの冷却方法は、内部冷却方式と外部冷却方式に分けられる。内部冷却方式は、主として鋳造プロセスで用いられ、ロール１の内部に備えられたパイプ状の冷却回路に冷却液体（通常は水である）を通し、ロール１の内部からロール１を冷却させる方法である。また、外部冷却方式は、複数のスプレーノズルを設け、外部からロール１に冷却液体を直接噴射して、ロール１の表面からロール１を冷却させる方法である。
【０００４】
図２（ａ）は、従来の内部冷却方式の冷却ロールを示し、図２（ｂ）は、従来の外部冷却方式の冷却ロールを示す斜視図である。
【０００５】
図２（ａ）に示すように、内部冷却方式のロール１は、ロール１の内部に流体を通すための空間を有している。内部冷却方式のロール１は、圧延プロセスのように大きな荷重のかかる作業において、荷重による変形を生ずることがあり、使用上の制限がある。また、このような内部冷却方式では、冷却パイプ３を流れる冷却液体４の温度を、ロール１の各部分で自由に変化させることができないので、ロール１の表面形状を制御することが難しい。
【０００６】
図２（ｂ）に示すように、外部冷却方式では、ロール１内部の温度上昇を制御することができないので、長時間使用すると、ロール１の中心部の温度が上昇してしまう。このような場合、外部冷却方式では、ロール１の外部からスプレーノズル５で冷却液体４をロール表面に噴射させても、ロール１の表面のみが冷却されて、ロール１の中心部まで冷却させるには相当の時間がかかる。従って、外部冷却方式は、冷却の応答性が遅い  。
【０００７】
図３は、従来の熱電モジュールを示す斜視図である。図３に示すように、熱電モジュールは、ｐ型半導体６、ｎ型半導体７、金属板タイプの高温部８及び低温部９を含んで構成されている。
【０００８】
熱電モジュールでは、ｎ型半導体７から金属板タイプの低温部９に電流が流れると、内部の伝導電子が金属板からｎ型半導体７に電流が流れる。このとき、内部の伝導電子の平均運動エネルギーは増加するが、この運動エネルギーの変化は、熱の吸収によって引き起こされたものである。電流がその逆方向に流れると、電子の運動エネルギーが減少し、発熱反応が引き起こされる。
【０００９】
金属とｐ型半導体６の接合では、ホールの流れが電流の方向と一致し、金属とｎ型半導体７の接合の電流方向とは、逆方向に吸熱反応及び発熱反応が起こる。このような原理から、モジュールに電流が流れると、金属板タイプの高温部８から金属板タイプの低温部９に熱を移動させることができる。移動する総熱量Ｑｔｏｔａｌは、下記式１により決定される。
【００１０】
【数１】
2011507706.tif 000003
【００１１】
ここで、αｐｎはゼーベック（Ｓｅｅｂｅｃｋ）係数、Ｉは電流、ＴＨは金属板タイプの高温部８の温度、ＴＣは金属板タイプの低温部９の温度、Ｋは熱伝達係数、ｒは抵抗である。
【００１２】
このようにモジュールを直列に多数連結すると、金属板タイプの高温部８の温度を所望の温度または一定の温度に維持することができる。
【００１３】
しかし、前述の従来のロールの冷却方式は、ロールに対する圧縮変形を抑えつつ、ロールを冷却することが困難であるという問題点があった。また、従来のロールの冷却方式は、熱膨張によるロールクラウンを抑制するための速い応答ができず、素材の表面形状を所望の形状に制御できないという問題点も有していた。
【発明の概要】
【発明が解決しようとする課題】
【００１４】
本発明は、圧縮変形に対する強さを維持しつつロールの冷却が可能な、内部冷却方式の冷却ロール及びその制御方法を提供することを目的とする。
【００１５】
また、本発明は、熱膨張によるロールクラウンを抑制する速い応答ができ、ロール表面の温度を自由に変化させて、素材の表面形状を所望の形状に制御することができる、冷却ロール及びその制御方法を提供することを他の目的とする。
【課題を解決するための手段】
【００１６】
上記目的を達成するための、本発明の第１の発明に係るロールのクラウンコントロールのための冷却ロールは、ヒートシンク（ｈｅａｔ  ｓｉｎｋ）と、ヒートシンクの外側に、複数層の熱電モジュールがロールの長手方向に積層された内部モジュールと、内部モジュールの外側に、複数層の熱電モジュールがロールの長手方向に積層された外部モジュールと、を含み、内部モジュールは、外部モジュールの表面から流れてくる電流を、ヒートシンクに流すことを特徴とする。
【００１７】
本発明の好ましい実施形態において、外部モジュールは、複数の層それぞれに流れる電流の量を、それぞれ制御することができるようになっている。
【００１８】
本発明の他の好ましい実施形態において、外部モジュールは、外部モジュールの外側部に配置された高温部と、高温部と内部モジュールの間に配置された低温部と、を含み、高温部は、外部モジュールの表面から流れてくる電流を低温部に流すことができるようになっている。
【００１９】
本発明のさらに他の好ましい実施形態において、内部モジュール及び外部モジュールは、リング状に積層されている。
【００２０】
本発明のさらに他の好ましい実施形態において、ヒートシンクと内部モジュールの間、及び内部モジュールと外部モジュールの間は絶縁体で絶縁されている。
【００２１】
本発明の第２の発明に係るロールのクラウンコントロールのための冷却ロールの制御方法は、外部モジュールの表面から、外部モジュールの内側に複数層の熱電モジュールがロールの長手方向に積層された内部モジュールに、電流が流されるステップと、内部モジュールから内部モジュールの内側に備えられたヒートシンクに電流が流されるステップと、を含むことを特徴とする。
【００２２】
本発明の好ましい実施形態において、ロールのクラウンコントロールのための冷却ロールの制御方法は、外部モジュールの複数の層それぞれに、流れる電流の量を制御する。
【００２３】
本発明の他の好ましい実施例において、ロールのクラウンコントロールのための冷却ロールの制御方法は、外部モジュールの表面から外部モジュールの外側部に配置された高温部に電流が流されるステップと、高温部から高温部と内部モジュールの間に配置された低温部に電流が流されるステップと、を含む。
【発明の効果】
【００２４】
本発明のロールのクラウンコントロールのための冷却ロールは、内部冷却方式を用いてロールを冷却するため、熱膨張によるロールクラウンを速い応答性で制御することができる。
【００２５】
また、本発明のロールのクラウンコントロールのための冷却ロールは、ロールの長手方向に独立した温度制御ができるように熱電モジュールが配置されているため、ロールの表面形状を変化させて、ロールの長手方向に対応する素材の表面形状を制御することができる。
【００２６】
さらに、本発明によると、ｐ−ｎ素子はセラミックであるので、圧縮荷重に強く、圧延のような大きな荷重がかかる場合にも使用することができる。
【図面の簡単な説明】
【００２７】
【図１】従来のロールを示す斜視図である。
【図２】（ａ）は従来の内部冷却方式を、（ｂ）は外部冷却方式の冷却ロールを示す斜視図である。
【図３】従来の熱電モジュールを示す斜視図である。
【図４】本発明のロールのクラウンコントロールのための冷却ロールの分解斜視図である。
【図５】（ａ）は本発明のロールのクラウンコントロールのための冷却ロールの外部モジュールの単位リングを、（ｂ）は単位リングがロールの長手方向に積層された状態を示す分解斜視図である。
【図６】本発明のロールのクラウンコントロールのための冷却ロールの外部モジュールと内部モジュールが結合された状態を示す斜視図である。
【発明を実施するための形態】
【００２８】
以下では、図面を参照して本発明の実施の形態を説明する。しかし、本発明の実施の形態は様々な他の形態に変形されることができ、本発明の範囲は、以下に詳述する実施の形態のみに限られるものではない。また、図面上の同一の符号で表示される要素は同一の要素とする。
【００２９】
図４は、本発明のロールのクラウンコントロールのための冷却ロールの分解斜視図である。図４に示すように、本発明のロールのクラウンコントロールのための冷却ロールは、大きくは、ヒートシンク１２、内部モジュール１１及び外部モジュール１０で構成される。
【００３０】
内部モジュール１１は、ヒートシンク１２の外側に、複数層の熱電モジュールが、ロールの長手方向に積層されている。また、外部モジュール１０は、内部モジュール１１の外側に、複数層の熱電モジュールが、ロールの長手方向に積層されている。そして、ヒートシンク１２と内部モジュール１１の間、及び内部モジュール１１と外部モジュール１０の間は、絶縁体で絶縁されている。
【００３１】
内部モジュール１１は、外部モジュール１０の表面から流れてきた電流を、ヒートシンク１２に流す。ここで、外部モジュール１０は、複数の層に流れる電流の量をそれぞれ制御する。
【００３２】
以下に、上述のロールのクラウンコントロールのための冷却ロールの制御方法について、より詳細に説明する。
【００３３】
電流は、外部モジュール１０の表面から、外部モジュール１０の内側の複数層の熱電モジュールがロールの長手方向に積層された内部モジュール１１に、流れる。この過程を詳しく説明すると、電流は、外部モジュール１０の表面から、外部モジュール１０の外側部に配置された高温部１０ａに流れ、さらに、電流は、高温部１０ａから高温部１０ａと内部モジュール１１の間に配置された低温部１０ｂに流れる。
【００３４】
その後、電流は、内部モジュール１１から内部モジュール１１の内部に備えられたヒートシンク１２に流される。ここで、外部モジュール１０の複数の層に流れるそれぞれの電流の量は、それぞれ制御される。
【００３５】
図５の（ａ）は、本発明のロールのクラウンコントロールのための冷却ロールの外部モジュールの単位リングを示し、（ｂ）は単位リングがロールの長手方向に積層された状態を示す分解斜視図である。
【００３６】
図５の（ａ）は、２段に積層された外部モジュール１０の状態を示している。外部モジュール１０は、高温部１０ａと低温部１０ｂで構成される。高温部１０ａは、外部モジュール１０の外側部に配置され、低温部１０ｂは、外部モジュール１０の内側部に配置されている。すなわち、外部モジュール１０の高温部１０ａは、冷却ロールの表面側に面し、外部モジュール１０の低温部１０ｂは、高温部１０ａと内部モジュール１１の間に配置されている。外部モジュール１０の１つのリングは、電流量を制御する１つの単位である。
【００３７】
図５の（ｂ）に示すように、外部モジュール１０は、外側部の高温部１０ａと内側部の低温部１０ｂとが連結されて単位リングを形成し、各単位リングはロールの長手方向に積層されている。このように、外部モジュール１０の単位リングは、ロールの長手方向に独立した単位で形成されているため、各単位リングに流れる電流の量を、独立して制御することができる。そのため、冷却ロールの長手方向に沿って、単位リングの温度をそれぞれ異なるようにすることができる。
【００３８】
図６は、本発明のロールのクラウンコントロールのための冷却ロールの、外部モジュールと内部モジュールが結合された状態を示す斜視図である。図６に示すように、内部モジュール１１は、ロールの長手方向に積層された熱電モジュールを有し、外側部の外部モジュール１０の低温部１０ｂと内側部のヒートシンク１２に連結している。外部モジュール１０及び内部モジュール１１は、どちらも、リング状に積層された熱電モジュールを有している。
【００３９】
内部モジュール１１は、外部モジュール１０が冷却ロールの表面から冷却ロールの内部に移動させた熱を、さらにヒートシンク１２に移動させる。ヒートシンク１２は、冷却ロールの片側または両側に設置される。
【００４０】
本発明は、上述した実施の形態及び添付された図面によって限定されるものではなく、請求の範囲により権利の範囲が限定されるものであり、請求の範囲に記載された本発明の技術的思想を外れない範囲内で多様な置換、変形及び変更が可能であることは、当技術分野の通常の知識を持った者にとって自明である。
【符号の説明】
【００４１】
１０  外部モジュール
１０ａ  高温部
１０ｂ  低温部
１１  内部モジュール
１２  ヒートシンク
【図１】
2011507706.tif 000004
【図２】
2011507706.tif 000005
【図３】
2011507706.tif 000006
【図４】
2011507706.tif 000007
【図５】
2011507706.tif 000008
【図６】
2011507706.tif 000009
【国際調査報告】
2011507706.tif 000010
2011507706.tif 000011